(57)【特許請求の範囲】
【請求項１】
対象者によって選択された特定の色または質感の製品（２４）を生産し提供するシステムであって、前記対象者が前記色または質感を選択可能な対象物、および前記対象物から得られる色または質感のパレット（２０）を表示する表示装置（１）によって構成され、
前記パレットは、前記対象者が選択可能な色または質感のパレット（２０）であり、前記システムは、前記対象者の選択を修正した生産情報に従って前記製品を生産する生産センター（１６）へ接続し、
前記対象者によって選択された前記色または質感を修正した前記生産情報を、前記対象者の介在なしに、生成する特徴修正装置（４０）を含むことを特徴とする、システム。
【請求項２】
前記生産センターでの前記製品の生産が、前記対象者によって選択された前記色または質感を決定するデータを処理する制御変換器（１２）から、使用される原料の投与に関する投与制御が受信されると開始されることを特徴とする、請求項１に記載のシステム。
【請求項３】
前記表示装置が、カメラから構成されることを特徴とする、請求項１または２に記載のシステム。
【請求項４】
前記表示装置が、測色計から構成されることを特徴とする、請求項１または２に記載のシステム。
【請求項５】
前記表示装置（１）が、インターネットネットワーク（１１）に接続され、前記対象者および前記対象物の写真を撮影する写真およびビデオのカメラ（２）を備えたスマートフォンから構成されることを特徴とする、請求項１または２に記載のシステム。
【請求項６】
前記スマートフォンにダウンロードされたアプリケーションによって制御されることを特徴とする、請求項５に記載のシステム。
【請求項７】
前記表示装置が、コンソールに挿入されていることを特徴とする、請求項１〜６のいずれか一項に記載のシステム。
【請求項８】
前記特徴修正装置が、ランダム生成器（６０）によって制御されることを特徴とする、請求項１〜７のいずれか一項に記載のシステム。
【請求項９】
前記特徴修正装置が、前記対象者に提示されるアンケート（６５）に対する回答に従って制御されることを特徴とする、請求項１〜７のいずれか一項に記載のシステム。
【請求項１０】
前記対象物が、アクセサリー（宝石類、ハンドバッグ、靴等）を含む前記対象者の服、または、前記対象者の環境（絵、装飾物または他のもの）の一部であることを特徴とする、請求項１〜９のいずれか一項に記載のシステム。
【発明の詳細な説明】
【技術分野】
【０００１】
本発明は、対象者によって選択された特定の色または質感の製品を作成し提供するためのシステムであって、対象者が当該色または質感を選択可能な対象物を表示するための表示装置と、対象者が選択可能な色または質感のパレットと、対象者の選択に従って製品を作成するための生産センターへの接続と、によって構成されるシステムに関する。
【発明の概要】
【０００２】
本発明は、特に、口紅の色を選択することを対象とする。女性は、この選択に細心の注意を払う。この選択は、電話機、またはより正確には「スマートフォン」等の利用可能な通信手段を用いることによって、支援され得る。これらの装置は通常、それらを使用する人々に対して表示可能な写真またはビデオのカメラを備える。この件に関しては、以下のサイトが参照され得る。
http//en.rimmellondon.com/?cid=en search google
【０００３】
色を容易に選択することが提案される場合、色は「パーソナルタッチ」を有し、それを注文した人に独特であったり、少なくとも独創的であったりすることが望ましい。
【０００４】
本発明の目的は、以前に選択された色に近い一方で、ある程度の独創性または独自性を有する色または質感を作成可能にする、上述された種類のシステムを提供することである。
【０００５】
この目的のために、そのようなシステムは、対象者によって選択された色または質感を修正するための特徴修正装置を含むという点において、注目に値する。
【０００６】
口紅に関する用途が主に述べられるが、本発明は、化粧品の異なる態様、より一般的には、ネイル製品、アイシャドウ等の化粧品に適用され得る。
【０００７】
したがって、本発明によれば、独特であると表現され得る色または質感が得られる。このことは、この独自性を保証する証明書によって、製品を注文した対象者に対しても言える。
【０００８】
また、本発明は、本発明の目的であるシステムによって得られる製品に関する。
【０００９】
この修正は、対象者の選択を満足させるために、わずかであることが好ましい。また、質感は、色の光沢または艶消しの特徴の選択に割り当てられた、別のパレットにおいて表示され得る。
【００１０】
以下の説明は、添付の図面と共に、全てが限定しない例として与えられ、本発明がどのように実施され得るかを理解するのに役立つ。
【図面の簡単な説明】
【００１１】
【図１】本発明に係るシステムの図を示す。
【図２】特徴修正装置の制御を示す。
【図３】特徴の修正を生成する第１のモードを示す。
【図４】特徴の修正を生成する第２のモードを示す。
【発明を実施するための形態】
【００１２】
これらの図について、共通の全ての構成要素は、全ての図において同じ参照番号を有する。
【００１３】
図１において、本発明のシステムは、ビデオカメラ（２）を備えたスマートフォン（１）から構成される。
【００１４】
この電話機は、口紅を選択することを望む対象者の写真を撮影するために、ウィンドウ（４）が出現可能な画面（３）を有する。この画面には、対象者によって写真撮影された対象物（６）を示す別のウィンドウ（５）も出現でき、そこから、彼／彼女は、自身の唇（７）に付けるための、自身の口紅の色または質感を選択する。この電話機は、インターネットネットワーク（１１）を介して、アプリケーションサーバー（９）に接続される。アプリケーションサーバー（９）は、生産センター（１６）によって使用される原料の投与に関する情報を提供する制御変換器（１２）によって、制御を生成する。これらの原料は、生産センター（１６）に含まれる、異なる容器（１４）に収容されている。本発明に適した生産センターの例は、「Ｃｈｅｍｓｐｅｅｄ」社に見い出され得る。
【００１５】
自身の唇（７）用の口紅の色または質感を選択するために、対象者は、ウィンドウ（５）において表示される対象物（６）を目標とする。この対象物からパレット（２０）が決定され、画面（３）において同様に可視化される。このようにして、対象者は、目標とした対象物の色に最も近い、口紅の色および質感を決定できる。パレット（２０）の１つの領域（２１）をタッチすることによって、色または質感が確認される。この選択は、彼／彼女の写真の唇（７）における、選択された色または質感の出現によって示される。領域（２１）における２回目のタッチは、口紅の色または質感の最終的な選択を有効化し、製品（２４）の生産が、ほぼ即座に開始される。
【００１６】
パレットは、対象物の主色から構成されるカメオの形であり得る。
【００１７】
そして、このようにして決定された製品（２４）は、遅滞なく対象者に配達され得る。これは、図１において、車両（３０）によって示される。
【００１８】
本発明によれば、本発明のシステムは、対象者によって選択された色および質感を修正（変更）するための、特徴修正装置（４０）を含む。
【００１９】
言うまでもなく、この色の変更は、対象者が自身の選択において裏切られたと感じないように、わずかでなければならない。
【００２０】
図２は、どのように変更が適用されるかを説明する。異なる弁（５１）、（５２）、（５３）、（５４）は、容器（１４）に収容されている物質の流速を調整する。これらの弁に作用する流量制御は、一方では対象者が確立した色の制御を、他方では修正情報Δを受信する特徴修正装置（４０）に起因する。
【００２１】
これらの色変化Δは、図３に示すように、特徴修正装置に直接的に作用し得る変化Δ１を供給する、ランダムコード生成器（６０）によって生成され得る。
【００２２】
他の選択可能な実施形態によれば、対象者に送信されるアンケート（６５）に基づいて色変化Δを生成し、回答に応じて値Δ２を推定することも可能である。
【００２３】
もちろん、これらの修正値は、共に組み合わせられてもよいし、別々に作用させられてもよい。
【００２４】
本発明のシステムの動作は、以下のステップによって説明され得る。
【００２５】
ステップ１−対象者は、自身のスマートフォンを使用して、本発明の実施用のアプリケーションを起動する。そして、彼／彼女の顔が、写真撮影または動画撮影される。彼／彼女は、自身が興味のある色を有する対象物を目標としたり、指し示したりすることによって、色を選択できる。この対象物は、彼／彼女が着ている服の一つや、宝石類、ハンドバッグ等の一つであり得る。この対象物から、画面において可視化されるパレット、好ましくはカメオが得られる。そして、彼／彼女は、画面をタッチすることによって、色または質感を選択できる。
【００２６】
ステップ２−確認を通して、好ましくは、自身の身体的側面（白人、アジア系等）に関するアンケートが、彼／彼女に提示され得る。提出後、色および質感の変化Δ１およびΔ２のパラメーターを考慮した生産情報が、生産センター（１６）に送信される。製品（２４）の生産が、直ちに開始される。
【００２７】
ステップ３−製品の完成後、製品（２４）は、自身が選んだ色をソーシャルネットワークにおいて提示し得る対象者に、即座に送られる。
【００２８】
また、本発明は、本発明の異なる変形または用途を包含し、例えば、表示装置は、店舗において恒久的に設置されたコンソールに挿入されてもよい。また、対象物の色および質感を判断するために、測色計が使用され得る。
【００２９】
重要な用途は、本発明に適合するシステムによって、以前に既に開発されているソーシャルネットワークからの色または質感を有する画像から、本発明のシステムによって既に決定されている色または質感の製品を複製することである。
【図１】
0006937049.tif 000002
【図２】
0006937049.tif 000003
【図３】
0006937049.tif 000004
【図４】
0006937049.tif 000005